(57)【要約】  本発明は、ヘテロジーニアスネットワークにおける切り替え方法及び装置を開示する。上記方法は、マクロセルのトラフィック負荷を検知し、上記マクロセルのトラフィック負荷が第１の閾値以上である場合に、マクロセルにおけるユーザー端末の測定プロセスを起動し、上記マクロセルにおけるユーザー端末から報告される測定結果を受信するステップと、上記測定結果が上記マクロセルのトラフィック優先度より高いトラフィック優先度を有するマイクロセルが存在することを示す場合に、上記マクロセルにおける上記ユーザー端末の上記マイクロセルへの切り替えを開始するステップと、を含む。
2018516005.tif 000002
【特許請求の範囲】
【請求項１】
マクロセルのトラフィック負荷を検知し、前記マクロセルのトラフィック負荷が第１の閾値以上である場合に、マクロセルにおけるユーザー端末の測定プロセスを起動し、前記マクロセルにおけるユーザー端末から報告される測定結果を受信するステップと、
前記測定結果が前記マクロセルのトラフィック優先度より高いトラフィック優先度を有するマイクロセルが存在することを示す場合に、前記マクロセルにおける前記ユーザー端末の前記マイクロセルへの切り替えを開始するステップと、を含む
ヘテロジーニアスネットワークにおける切り替え方法。
【請求項２】
前記マクロセルのトラフィック負荷が第１の閾値以上である場合に、前記マクロセルのトラフィック優先度が第１の優先度であると、前記マクロセルのトラフィック優先度を第２の優先度に調整し、前記第１の優先度は前記第２の優先度及び前記マイクロセルのトラフィック優先度より高く、前記第２の優先度は前記マイクロセルのトラフィック優先度より低いステップ、をさらに含む
請求項１に記載の方法。
【請求項３】
前記マクロセルのトラフィック負荷が第２の閾値以下である場合に、前記マクロセルのトラフィック優先度が第２の優先度であると、前記マクロセルのトラフィック優先度を第１の優先度に調整し、前記第２の閾値は前記第１の閾値より小さいステップ、をさらに含む
請求項２に記載の方法。
【請求項４】
前記マクロセルのトラフィック負荷が第１の閾値以上である場合に、マクロセルにおけるユーザー端末の測定プロセスを起動するステップに先立って、
セルリソース状態指示メッセージをネットワーク側のコントローラに報告し、前記セルリソース状態指示メッセージには前記マクロセルにおけるユーザーの位置分布情報が含まれ、前記ユーザーの位置分布情報は対応するマイクロセルを活性化するように前記コントローラに指示するために使用されるステップ、をさらに含む
請求項１に記載の方法。
【請求項５】
前記マクロセルのトラフィック負荷を検知するステップに先立って、
ネットワーク側のコントローラが前記マクロセルのセルトラフィック測定を起動する指示を受信し、前記セルトラフィック測定は前記マクロセルのトラフィック負荷及び前記マクロセルにおけるユーザーの位置分布を検知することを含むステップ、をさらに含み、
前記マクロセルのトラフィック負荷が第１の閾値以上である場合に、マクロセルにおけるユーザー端末の測定プロセスを起動するステップに先立って、
前記コントローラにセルトラフィック測定報告を報告し、前記セルトラフィック測定報告には前記マクロセルにおけるユーザーの位置分布情報が含まれ、前記セルトラフィック測定報告は対応するマイクロセルを活性化するように前記コントローラに指示するために使用されるステップ、をさらに含む
請求項１に記載の方法。
【請求項６】
前記マイクロセルのトラフィック負荷を検知し、前記マイクロセルのトラフィック負荷が第３の閾値以下である場合に、測定プロセスを起動し、前記マイクロセルにおけるユーザー端末から報告される測定結果を受信するステップと、
前記測定結果が前記マクロセルのトラフィック優先度が前記マイクロセルのトラフィック優先度より高いことを示す場合に、前記マイクロセルにおけるユーザー端末の前記マクロセルへの切り替えを開始するステップと、をさらに含む
請求項１〜５のいずれか１項に記載の方法。
【請求項７】
前記マイクロセルにアクセスされるユーザー端末がない持続期間の長さが時間閾値に達する又は超える場合に、前記マイクロセルを非活性化するようにネットワーク側のコントローラに通知するステップ、をさらに含む
請求項６に記載の方法。
【請求項８】
マイクロセルのトラフィック負荷を検知し、前記マイクロセルのトラフィック負荷が第３の閾値以下である場合に、測定プロセスを起動し、前記マイクロセルにおけるユーザー端末から報告される測定結果を受信するステップと、
前記測定結果がマクロセルのトラフィック優先度が前記マイクロセルのトラフィック優先度より高いことを示す場合に、前記マイクロセルにおけるユーザー端末の前記マクロセルへの切り替えを開始するステップと、を含む
ヘテロジーニアスネットワークにおける切り替え方法。
【請求項９】
前記マイクロセルにアクセスされるユーザー端末がない持続期間の長さが時間閾値に達する又は超える場合に、アイドルを表すリソース状態指示メッセージをネットワーク側のコントローラに報告し、前記アイドルを表すリソース状態指示メッセージは前記マイクロセルを非活性化するように前記コントローラに指示するために使用されるステップ、をさらに含む
請求項８に記載の方法。
【請求項１０】
前記マイクロセルのトラフィック負荷を検知するステップに先立って、
前記マイクロセルが活性化された後に、ネットワーク側のコントローラが前記マイクロセルのセルトラフィック測定を起動する指示を受信し、前記セルトラフィック測定は前記マイクロセルのトラフィック負荷を検知することを含むステップと、
前記マイクロセルにアクセスされるユーザー端末がない持続期間の長さが時間閾値に達する又は超える場合に、アイドルを表すセルトラフィック測定報告を前記コントローラに報告し、前記アイドルを表すセルトラフィック測定報告は前記マイクロセルを非活性化するように前記コントローラに指示するために使用されるステップと、をさらに含む
請求項８に記載の方法。
【請求項１１】
マクロセルのトラフィック負荷を検知し、前記マクロセルのトラフィック負荷が第１の閾値以上である場合に、マクロセルにおけるユーザー端末の測定プロセスを起動し、前記マクロセルにおけるユーザー端末から報告される測定結果を受信するように設置される第１のトリガーモジュールと、
前記測定結果が前記マクロセルのトラフィック優先度より高いトラフィック優先度を有するマイクロセルが存在することを示す場合に、前記マクロセルにおけるユーザー端末の前記マイクロセルへの切り替えを開始するように設置される第１の切り替え制御モジュールと、を備える
ヘテロジーニアスネットワークにおける切り替え装置。
【請求項１２】
前記第１のトリガーモジュールはさらに、前記マクロセルのトラフィック負荷が第１の閾値以上である場合に、前記マクロセルのトラフィック優先度が第１の優先度であると、前記マクロセルのトラフィック優先度を第２の優先度に調整し、前記第１の優先度は前記第２の優先度及び前記マイクロセルのトラフィック優先度より高く、前記第２の優先度は前記マイクロセルのトラフィック優先度より低いように設置される
請求項１１に記載の装置。
【請求項１３】
マイクロセルのトラフィック負荷を検知し、前記マイクロセルのトラフィック負荷が第３の閾値以下である場合に、測定プロセスを起動し、前記マイクロセルにおけるユーザー端末から報告される測定結果を受信するように設置される第２のトリガーモジュールと、
前記測定結果が前記マクロセルのトラフィック優先度が前記マイクロセルのトラフィック優先度より高いことを示す場合に、前記マイクロセルにおけるユーザー端末の前記マクロセルへの切り替えを開始するように設置される第２の切り替え制御モジュールと、をさらに備える
請求項１１又は１２に記載の装置。
【請求項１４】
マイクロセルのトラフィック負荷を検知し、前記マイクロセルのトラフィック負荷が第３の閾値以下である場合に、測定プロセスを起動し、前記マイクロセルにおけるユーザー端末から報告される測定結果を受信するように設置される第２のトリガーモジュールと、
前記測定結果がマクロセルのトラフィック優先度が前記マイクロセルのトラフィック優先度より高いことを示す場合に、前記マイクロセルにおけるユーザー端末の前記マクロセルへの切り替えを開始するように設置される第２の切り替え制御モジュールと、を備える
ヘテロジーニアスネットワークにおける切り替え装置。
【請求項１５】
コンピュータの実行可能な指令が記憶され、前記コンピュータは請求項１〜１０のいずれか１項に記載の方法を実行するための指令を実行できるコンピュータの読取可能な記憶媒体。
【発明の詳細な説明】
【技術分野】
【０００１】
本発明は、通信分野に関するが、これに限定されるものではない。
【背景技術】
【０００２】
スマート端末の急成長、４Ｇ（４ｔｈ  Ｇｅｎｅｒａｔｉｏｎ、第４世代移動通信技術）ＬＴＥ（Ｌｏｎｇ  Ｔｅｒｍ  Ｅｖｏｌｕｔｉｏｎ、ロング・ターム・エボリューション）の移動通信技術の商業化、及びモバイルマルチメディアトラフィックやモバイルショッピングモール等のモバイルインターネット経済の急成長に伴い、グローバルのモバイルデータトラフィックは数十倍に増加し、セルの基地局のトラフィックの増加量は年々上昇しているが、スペクトルは年々枯渇しており、基地局の処理能力はますます不足する。
【０００３】
スペクトルリソースの不足とサイトリソースの入手が困難なため、図１に示されるような伝統的なＨｏｍｏｇｅｎｅｏｕｓ  Ｎｅｔｗｏｒｋ（水平な単層同型ネットワーク）は既にそのような集中的なデータトラフィックを運ぶことができない。この場合に、業界は、図２に示されるＨｅｔ−Ｎｅｔ（ヘテロジーニアスネットワーク）の導入は有効な解決策であることに合意し、将来の移動体通信ネットワークのカバレッジとキャパシティを解決するためには、マクロ・マイクロセルの協力によるＨｅｔ−Ｎｅｔ方案が唯一の方法キャパシティである。マクロ・マイクロセルの立体的な階層構成は基地局の配置をより柔軟にさせることができる。マイクロセルは、マクロセルラネットワークの効果的な補足だけではなく、人口密度が高い場所及び潮汐効果が顕著である場所に、マクロセルによりカバーが解決され、マイクロセルによりキャパシティが分担され、トラフィックが多いエリアにマクロのトラフィックの量を分流して吸収し、ホットスポット及び室内のユーザー体験を向上させることもできる。マクロ・マイクロ協力はＣＡＰＥＸ（Ｃａｐｉｔａｌ  Ｅｘｐｅｎｓｅ、資本的支出）とＯＰＥＸ（Ｏｐｅｒａｔｉｎｇ  Ｅｘｐｅｎｓｅ、営業の支出）とを減少させ、モバイルネットワークのカバーとキャパシティとの向上を実現させることができる。
【０００４】
図２に示されるように、Ｍｉｃｒｏ−Ｃｅｌｌ（マイクロセル）は、Ｍａｃｒｏ−Ｃｅｌｌ（マクロセル）の配下のサブネットであると考えられ、マクロセルと共にマルチバンドであって、マルチセルであって、マルチレイヤである立体的なネットワークを形成する。同型ネットワークの下のＨＨＯ（Ｈｏｒｉｚｏｎｔａｌ  Ｈａｎｄｏｆｆ、水平の切り替え）とは異なって、ヘテロジーニアスネットワークにおけるマクロセルとマイクロセルとの間の切り替えはＶＨＯ（Ｖｅｒｔｉｃａｌ  Ｈａｎｄｏｆｆ、垂直の切り替え）と呼ばれる。
【発明の概要】
【発明が解決しようとする課題】
【０００５】
以下は、本明細書での詳細に説明される課題に対する概要である。本概要は、特許請求の範囲を限定するためのものではない。
【０００６】
本発明は、マクロセルとマイクロセルとが協力してセルのキャパシティを処理させることができるように、ヘテロジーニアスネットワークにおける切り替えの方法を提供する。
【課題を解決するための手段】
【０００７】
ヘテロジーニアスネットワークにおける切り替え方法であり、上記方法は、マクロセルのトラフィック負荷を検知し、上記マクロセルのトラフィック負荷が第１の閾値以上である場合に、マクロセルにおけるユーザー端末の測定プロセスを起動し、上記マクロセルにおけるユーザー端末から報告される測定結果を受信するステップと、上記測定結果が上記マクロセルのトラフィック優先度より高いトラフィック優先度を有するマイクロセルが存在することを示す場合に、上記マクロセルにおける上記ユーザー端末の上記マイクロセルへの切り替えを開始するステップと、を含む。
【０００８】
選択的に、上記方法は、上記マクロセルのトラフィック負荷が第１の閾値以上である場合に、上記マクロセルのトラフィック優先度が第１の優先度であると、上記マクロセルのトラフィック優先度を第２の優先度に調整し、上記第１の優先度は上記第２の優先度及び上記マイクロセルのトラフィック優先度より高く、上記第２の優先度は上記マイクロセルのトラフィック優先度より低いステップ、をさらに含む。
【０００９】
選択的に、上記方法は、上記マクロセルのトラフィック負荷が第２の閾値以下である場合に、上記マクロセルのトラフィック優先度が第２の優先度であると、上記マクロセルのトラフィック優先度を第１の優先度に調整し、上記第２の閾値は上記第１の閾値より小さいステップ、をさらに含む。
【００１０】
選択的に、上記マクロセルのトラフィック負荷が第１の閾値以上である場合に、マクロセルにおけるユーザー端末の測定プロセスを起動するステップに先立って、セルリソース状態指示メッセージをネットワーク側のコントローラに報告し、上記セルリソース状態指示メッセージには上記マクロセルにおけるユーザーの位置分布情報が含まれ、上記ユーザーの位置分布情報は対応するマイクロセルを活性化するように上記コントローラに指示するために使用されるステップ、をさらに含む。
【００１１】
選択的に、上記マクロセルのトラフィック負荷を検知するステップに先立って、ネットワーク側のコントローラが上記マクロセルのセルトラフィック測定を起動する指示を受信し、上記セルトラフィック測定は上記マクロセルのトラフィック負荷及び上記マクロセルにおけるユーザーの位置分布を検知することを含むステップ、をさらに含み、上記マクロセルのトラフィック負荷が第１の閾値以上である場合に、マクロセルにおけるユーザー端末の測定プロセスを起動するステップに先立って、上記コントローラにセルトラフィック測定報告を報告し、上記セルトラフィック測定報告には上記マクロセルにおけるユーザーの位置分布情報が含まれ、上記セルトラフィック測定報告は対応するマイクロセルを活性化するように上記コントローラに指示するために使用されるステップ、をさらに含む。
【００１２】
選択的に、上記方法は、上記マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するステップと、上記測定結果が上記マクロセルのトラフィック優先度が上記マイクロセルのトラフィック優先度より高いことを示す場合に、上記マイクロセルにおけるユーザー端末の上記マクロセルへの切り替えを開始するステップと、をさらに含む。
【００１３】
選択的に、上記方法は、上記マイクロセルにアクセスされるユーザー端末がない持続期間の長さが時間閾値に達する又は超える場合に、上記マイクロセルを非活性化するようにネットワーク側のコントローラに通知するステップ、をさらに含む。
【００１４】
ヘテロジーニアスネットワークにおける切り替え方法であり、上記方法は、マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するステップと、上記測定結果がマクロセルのトラフィック優先度が上記マイクロセルのトラフィック優先度より高いことを示す場合に、上記マイクロセルにおけるユーザー端末の上記マクロセルへの切り替えを開始するステップと、を含む。
【００１５】
選択的に、上記方法は、上記マイクロセルにアクセスされるユーザー端末がない持続期間の長さが時間閾値に達する又は超える場合に、アイドルを表すリソース状態指示メッセージをネットワーク側のコントローラに報告し、上記アイドルを表すリソース状態指示メッセージは上記マイクロセルを非活性化するように上記コントローラに指示するために使用されるステップ、をさらに含む。
【００１６】
選択的に、上記マイクロセルのトラフィック負荷を検知するステップに先立って、上記マイクロセルが活性化された後にネットワーク側のコントローラが上記マイクロセルのセルトラフィック測定を起動する指示を受信し、上記セルトラフィック測定は上記マイクロセルのトラフィック負荷を検知することを含むステップと、上記マイクロセルにアクセスされるユーザー端末がない持続期間の長さが時間閾値に達する又は超える場合に、アイドルを表すセルトラフィック測定報告を上記コントローラに報告し、上記アイドルを表すセルトラフィック測定報告は上記マイクロセルを非活性化するように上記コントローラに指示するために使用されるステップと、をさらに含む。
【００１７】
ヘテロジーニアスネットワークにおける切り替え装置であり、マクロセルのトラフィック負荷を検知し、上記マクロセルのトラフィック負荷が第１の閾値以上である場合に、マクロセルにおけるユーザー端末の測定プロセスを起動し、上記マクロセルにおけるユーザー端末から報告される測定結果を受信するように設置される第１のトリガーモジュールと、上記測定結果が上記マクロセルのトラフィック優先度より高いトラフィック優先度を有するマイクロセルが存在することを示す場合に、上記マクロセルにおけるユーザー端末の上記マイクロセルへの切り替えを開始するように設置される第１の切り替え制御モジュールと、を備える。
【００１８】
選択的に、上記第１のトリガーモジュールはさらに、上記マクロセルのトラフィック負荷が第１の閾値以上である場合に、上記マクロセルのトラフィック優先度が第１の優先度であると、上記マクロセルのトラフィック優先度を第２の優先度に調整し、上記第１の優先度は上記第２の優先度及び上記マイクロセルのトラフィック優先度より高く、上記第２の優先度は上記マイクロセルのトラフィック優先度より低いように設置される。
【００１９】
選択的に、上記第１のトリガーモジュールはさらに、上記マクロセルのトラフィック負荷が第２の閾値以下である場合に、上記マクロセルのトラフィック優先度が第２の優先度であると、上記マクロセルのトラフィック優先度を第１の優先度に調整し、上記第２の閾値は上記第１の閾値より小さいように設置される。
【００２０】
選択的に、上記第１のトリガーモジュールはさらに、上記マクロセルのトラフィック負荷が第１の閾値以上である場合に、マクロセルにおけるユーザー端末の測定プロセスを起動する前に、セルリソース状態指示メッセージをネットワーク側のコントローラに報告し、上記セルリソース状態指示メッセージには上記マクロセルにおけるユーザーの位置分布情報が含まれ、上記ユーザーの位置分布情報は対応するマイクロセルを活性化するように上記コントローラに指示するために使用されるように設置される。
【００２１】
選択的に、上記第１のトリガーモジュールはさらに、トラフィック負荷を検知する前に、ネットワーク側のコントローラが上記マクロセルのセルトラフィック測定を起動する指示を受信し、上記セルトラフィック測定は上記マクロセルのトラフィック負荷及び上記マクロセルにおけるユーザーの位置分布を検知することを含んでおり、上記マクロセルのトラフィック負荷が第１の閾値以上である場合に、マクロセルにおけるユーザー端末の測定プロセスを起動する前に、上記コントローラにセルトラフィック測定報告を報告し、上記セルトラフィック測定報告に上記マクロセルにおけるユーザーの位置分布情報が含まれ、上記セルトラフィック測定報告は対応するマイクロセルを活性化するように上記コントローラに指示するために使用されるように設置される。
【００２２】
選択的に、上記装置は、マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するように設置される第２のトリガーモジュールと、上記測定結果が上記マクロセルのトラフィック優先度が上記マイクロセルのトラフィック優先度より高いことを示す場合に、上記マイクロセルにおけるユーザー端末の上記マクロセルへの切り替えを開始するように設置される第２の切り替え制御モジュールと、を備える。
【００２３】
選択的に、上記第２のトリガーモジュールはさらに、上記マイクロセルにアクセスされるユーザー端末がない持続期間の長さが時間閾値に達する又は超える場合に、上記マイクロセルを非活性化するように上記コントローラに通知するように設置される。
【００２４】
ヘテロジーニアスネットワークにおける切り替え装置であり、マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するように設置される第２のトリガーモジュールと、上記測定結果がマクロセルのトラフィック優先度が上記マイクロセルのトラフィック優先度より高いことを示す場合に、上記マイクロセルにおけるユーザー端末の上記マクロセルへの切り替えを開始するように設置される第２の切り替え制御モジュールと、を備える。
【００２５】
選択的に、上記第２のトリガーモジュールはさらに、上記マイクロセルにアクセスされるユーザー端末がない持続期間の長さが時間閾値に達する又は超える場合に、アイドルを表すリソース状態指示メッセージをネットワーク側のコントローラに報告し、上記アイドルを表すリソース状態指示メッセージは上記マイクロセルを非活性化するように上記コントローラに指示するために使用されるように設置される。
【００２６】
選択的に、上記第２のトリガーモジュールはさらに、上記マイクロセルのトラフィック負荷を検知する前であって、上記マイクロセルが活性化された後に、ネットワーク側のコントローラが上記マイクロセルのセルトラフィック測定を起動する指示を受信し、上記セルトラフィック測定は上記マイクロセルのトラフィック負荷を検知することを含み、上記マイクロセルにアクセスされるユーザー端末がない持続期間の長さが時間閾値に達する又は超える場合に、アイドルを表すセルトラフィック測定報告を上記コントローラに報告し、上記アイドルを表すセルトラフィック測定報告は上記マイクロセルを非活性化するように上記コントローラに指示するために使用されるように設置される。
【００２７】
コンピュータの読取可能な記憶媒体であり、コンピュータの実行可能な指令が記憶され、上記コンピュータは上記いずれか１つの方法を実行するための指令を実行できる。
【発明の効果】
【００２８】
本発明に係る実施例は、移動通信システム（ＧＳＭ（登録商標）、ＵＭＴＳ、ＴＤ−ＳＣＤＭＡ、ＬＴＥ等）において、マクロセルとマイクロセルとが協力してセルのキャパシティを処理することにより、マクロセルとマイクロセルとのキャパシティ及びカバーを解決する方法を提供する。マクロセルのカバー範囲は広いので、本発明に係る実施例の方法はセルの負荷を動的に均衡させる役割を果たしており、マクロセルの負荷が大き過ぎる場合に、マクロセルの集中的なトラフィック処理をマイクロセルの分布的なトラフィック処理に変更できる一方、マイクロセルの負荷が閾値以下である場合に、マクロセルの集中的な処理に自動的に切り替えることができ、切り替えプロセスでは、ユーザー端末の位置情報やパワーカバーなどは変化しない。本発明に係る実施例の他の方法は、潮汐効果に起因するマイクロセルの長期的なアイドルに対して、マイクロセルを非活性化させることができ、運用コストを大幅に低減させる。
【００２９】
他の局面は、図面および詳細な説明を読んで理解することによって明らかになるであろう。
【図面の簡単な説明】
【００３０】
【図１】伝統的な水平な単層同型ネットワークの模式図である。
【図２】ヘテロジーニアスネットワークの模式図である。
【図３】本発明に係る第１の実施例のヘテロジーニアスネットワークにおける切り替え方法のフローチャートである。
【図４】本発明に係る第２の実施例のヘテロジーニアスネットワークにおける切り替え方法のフローチャートである。
【図５】本発明に係る第３の実施例のヘテロジーニアスネットワークにおける切り替え装置の模式図である。
【図６】本発明に係る第４の実施例のヘテロジーニアスネットワークにおける切り替え装置の模式図である。
【図７】本発明に係る第１の実施形態のマクロセルのフローチャートである。
【図８】本発明に係る第１の実施形態のマイクロセルのフローチャートである。
【図９】本発明に係る第２の実施形態のマクロセルのフローチャートである。
【図１０】本発明に係る第２の実施形態のマイクロセルのフローチャートである。
【発明を実施するための形態】
【００３１】
以下、図面を参照しながら本発明に係る実施例を詳細に説明する。
【００３２】
なお、矛盾しない場合、本発明に係る実施例及び実施例における各特徴を互いに組み合わせてもよい。なお、フローチャートには論理的な順序が示されているが、ここで図示または説明されているステップは、本明細書と異なる順序で実行されてもよい。
【００３３】
第１の実施例はヘテロジーニアスネットワークにおける切り替え方法であり、図３に示されるように、マクロセルのトラフィック負荷を検知し、上記マクロセルのトラフィック負荷が第１の閾値以上である場合に、マクロセルにおけるユーザー端末の測定プロセスを起動し、上記マクロセルにおけるユーザー端末から報告される測定結果を受信するＳ１０と、上記測定結果が上記マクロセルのトラフィック優先度より高いトラフィック優先度を有するマイクロセルが存在することを示す場合に、上記マクロセルにおけるユーザー端末の上記マイクロセルへの切り替えを開始するＳ２０と、を含む。
【００３４】
ここで、Ｓ１０やＳ２０はマクロセル（システム側）における制御機能を備えるエンティティにより実行されてもよく、例としてマクロセルにおけるマスタユニットが挙げられるが、これに限定しない。
【００３５】
本実施例では、上記トラフィック優先度は周波数ポイント優先度やセル優先度などを含んでいるが、これに限定しない。本実施例は、トラフィック優先度が低いマクロセルにおけるユーザー端末をマイクロセルへ切り替えさせることを自動的にトリガーして、マクロ・マイクロセルの負荷の割り当てを調整できる。トラフィック負荷が大きい場合にトラフィック優先度を調整することにより、負荷の均衡を実現できる。
【００３６】
選択的に、上記マクロセルのトラフィック負荷が第１の閾値以上である場合には、上記マクロセルのトラフィック負荷が第１の閾値以上である場合に、上記マクロセルのトラフィック優先度が第１の優先度であると、上記マクロセルのトラフィック優先度を第２の優先度に調整し、上記第１の優先度は上記第２の優先度及び上記マイクロセルのトラフィック優先度より高く、上記第２の優先度は上記マイクロセルのトラフィック優先度より低いステップ、をさらに含む。
【００３７】
ここで、測定プロセスを起動するステップとトラフィック優先度を設置するステップとは前後を問わず、並行してもよい。
【００３８】
該選択的な方案では、マクロセルのトラフィック負荷が第１の閾値Ｔ１（例えば０．９）以上であり、且つ現在のトラフィック優先度が第１の優先度Ｐ１であると、マクロセルのトラフィック優先度を第２の優先度Ｐ２（Ｐ２はマイクロセルのトラフィック優先度Ｐ’より低く、Ｐ１はＰ２及びＰ’より高い）に低減して、ユーザー端末をマイクロセルに切り替えしてアクセスさせることをトリガーする。
【００３９】
選択的に、上記方法は、上記マクロセルのトラフィック負荷が第２の閾値以下である場合に、上記マクロセルのトラフィック優先度が上記第２の優先度であると、上記マクロセルのトラフィック優先度を上記第１の優先度に調整し、上記第２の閾値は上記第１の閾値より小さいステップ、をさらに含む。
【００４０】
該選択的な方案では、マクロセルのトラフィック負荷が第２の閾値Ｔ２（例えば０．３）以下である場合に、マクロセルのトラフィック優先度をＰ１に上昇させ、且つ、Ｐ１はマイクロセルのトラフィック優先度Ｐ’より高い。ここで、第２の閾値Ｔ２は第１の閾値Ｔ１より小さく、マイクロセルのトラフィック優先度はＰ’に固定され、且つ、Ｐ１＞Ｐ’＞Ｐ２である。
【００４１】
選択的に、上記方法は、上記マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するステップと、上記測定結果が上記マクロセルのトラフィック優先度が上記マイクロセルのトラフィック優先度より高いことを示す場合に、上記マイクロセルにおけるユーザー端末の上記マクロセルへの切り替えを開始する。つまり、マイクロセルのトラフィック負荷が第３の閾値Ｔ３（例えば０．１）以下である場合に、測定結果がマクロセルのトラフィック優先度が該当マイクロセルのトラフィック優先度Ｐ’より高いことを示すと、例えばマクロセルのトラフィック優先度がＰ１であるとき、マイクロセルにおけるユーザー端末をマクロセルに切り替えしてアクセスさせることをトリガーするステップと、をさらに含む。
【００４２】
上記選択的な方案はマイクロセル（システム側）における制御機能を備えるエンティティにより実行されてもよく、例としてマイクロセルにおけるマスタユニットが挙げられるが、これに限定しない。
【００４３】
上記閾値０．９，０．３，０．１は、検知されるセルのトラフィック負荷とセルの最大のトラフィック負荷との比である。
【００４４】
上記選択的な方案は、ネットワーク側のコントローラ（例えば、無線ネットワークコントローラや無線ネットワークマネージャ等のネットワーク側の制御機能を実現できるエンティティ）によりＵＥの切り替えを起動するプロセスではなく、マクロセルやマイクロセル（即ち、システム側）における制御機能を実現するエンティティ（例としてマスタユニットが挙げられるが、これに限定しない）によりユーザー端末から報告される測定情報に応じてＵＥの切り替えを起動するか否かを決めるプロセスであり、マクロセルの負荷変化を用いてマクロセルのトラフィック優先度を動的に変更することにより、ユーザー端末をマクロセルとマイクロセルとの間で切り替えさせ、セルのキャパシティを大幅に向上させることができる。
【００４５】
上記コントローラは集中管理制御ユニットであり、マクロセルとマイクロセルとのセルの状態指示や、活性化／非活性化や、セルのトラフィック負荷測定等のメッセージ機能を含んでいるが、これらに限定しない。コントローラのロジックエンティティは、マクロセルが位置するＥ−Ｎｏｄｅ  Ｂ（Ｅｖｏｌｖｅｄ  Ｎｏｄｅ  Ｂ、進化のノードＢ）のネットワークエレメントに位置されてもよいし、単一でもよいし、或いは他のネットワークエレメントに配布されてもよい。
【００４６】
選択的に、上記マクロセルのトラフィック負荷が第１の閾値以上である場合に、測定プロセスを起動するステップに先立って、セルリソース状態指示メッセージをネットワーク側のコントローラに報告し、上記セルリソース状態指示メッセージには上記マクロセルにおけるユーザーの位置分布情報が含まれ、上記ユーザーの位置分布情報は対応するマイクロセルを活性化するように上記コントローラに指示するために使用されるステップ、をさらに含む。
【００４７】
該選択的な方案では、セルリソース状態指示情報にユーザーの位置分布情報を加え、マクロセルにおける各ユーザー端末の位置を指示し、これにより、コントローラは対応するマイクロセルを活性化させることができ、対応するマイクロセルが既に活性化されると、活性化の繰り返しが必要ない。
【００４８】
選択的に、上記マクロセルのトラフィック負荷を検知するステップに先立って、ネットワーク側のコントローラが上記マクロセルのセルトラフィック測定を起動する指示を受信し、上記セルトラフィック測定は、上記マクロセルのトラフィック負荷及び上記マクロセルにおけるユーザーの位置分布を検知することを含むステップ、をさらに含み、上記マクロセルのトラフィック負荷が第１の閾値以上である場合に、測定プロセスを起動するステップに先立って、上記コントローラにセルトラフィック測定報告を報告し、上記セルトラフィック測定報告には上記マクロセルにおけるユーザーの位置分布情報が含まれ、上記セルトラフィック測定報告は対応するマイクロセルを活性化するように上記コントローラに指示するために使用されるステップ、をさらに含む。
【００４９】
該選択的な方案では、セルトラフィック測定報告にセルのトラフィック負荷測定タイプやユーザーの位置分布情報を加える。上記ユーザーの位置分布情報は、マクロセルにおける各ユーザー端末の位置を指示し、これにより、コントローラは対応するマイクロセルを活性化させることができ、対応するマイクロセルが既に活性化されると、活性化の繰り返しが必要ない。
【００５０】
選択的に、上記方法は、上記マイクロセルにアクセスされるユーザー端末がない持続期間の長さが時間閾値に達する又は超える場合に、上記マイクロセルを非活性化させるように上記コントローラに通知するステップ、をさらに含む。
【００５１】
該選択的な方案では、マイクロセルにおいてユーザー端末が長期的にない場合に、エネルギーを節約するために、コントローラはマイクロセルを休止させることができる。
【００５２】
上記選択的な方案では、上記第１，第２，第３の閾値はネットワーク最適化パラメータとして使用することができ、まずシミュレーションによって初期値を計算して、そして実際のネットワークの条件で調整して最適化することにより、ピンポンハンドオーバーを避けることができる。上記時間閾値は、需要，シミュレーションテスト又は経験に応じて自動的に設定することができる。
【００５３】
上記選択的な方案では、マクロセルがユーザーの分布情報をコントローラに報告すること及びマイクロセルの負荷検知のことを利用して、コントローラをトリガーしてマイクロセルを動的に活性化させたり非活性化させたりすることにより、運用コストを削減できる。
【００５４】
第２の実施例はヘテロジーニアスネットワークにおける切り替え方法であり、図４に示されるように、マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するＳ３０と、上記測定結果が上記マクロセルのトラフィック優先度が上記マイクロセルのトラフィック優先度より高いことを示す場合に、上記マイクロセルにおけるユーザー端末の上記マクロセルへの切り替えを開始するＳ４０と、を含む。
【００５５】
選択的に、上記方法は、上記マイクロセルにアクセスされるユーザー端末がない持続期間の長さが時間閾値に達する又は超える場合に、アイドルを表すリソース状態指示メッセージをネットワーク側のコントローラに報告し、上記アイドルを表すリソース状態指示メッセージは上記マイクロセルを非活性化するように上記コントローラに指示するために使用されるステップ、をさらに含む。
【００５６】
選択的に、上記マイクロセルのトラフィック負荷を検知するステップに先立って、上記マイクロセルは活性化された後に、ネットワーク側のコントローラが上記マイクロセルのセルトラフィック測定を起動する指示を受信するステップと、上記マイクロセルにアクセスされるユーザー端末がない持続期間の長さが時間閾値に達する又は超える場合に、アイドルを表すセルトラフィック測定報告を上記コントローラに報告し、上記アイドルを表すセルトラフィック測定報告は上記マイクロセルを非活性化するように上記コントローラに指示するために使用されるステップと、をさらに含む。
【００５７】
該選択的な方案では、マイクロセルにおいてユーザー端末が長期的にない場合に、エネルギーを節約するために、コントローラをトリガーしてマイクロセルを休止させることができる。
【００５８】
第３の実施例はヘテロジーニアスネットワークにおける切り替え装置であり、図５に示されるように、マクロセルのトラフィック負荷を検知し、上記マクロセルのトラフィック負荷が第１の閾値以上である場合に、マクロセルにおけるユーザー端末の測定プロセスを起動し、上記マクロセルにおけるユーザー端末から報告される測定結果を受信するように設置される第１のトリガーモジュール５１と、上記測定結果が上記マクロセルのトラフィック優先度より高いトラフィック優先度を有するマイクロセルが存在することを示す場合に、上記マクロセルにおけるユーザー端末の上記マイクロセルへの切り替えを開始するように設置される第１の切り替え制御モジュール５２と、を備える。
【００５９】
上記第１のトリガーモジュールと第１の切り替え制御モジュールとは上記マクロセルのマスタユニットに設置されてもよく、これに限定しない。
【００６０】
選択的に、上記第１のトリガーモジュール５１はさらに、上記マクロセルのトラフィック負荷が第１の閾値以上である場合に、上記マクロセルのトラフィック優先度が第１の優先度であると、上記マクロセルのトラフィック優先度を第２の優先度に調整し、上記第１の優先度は上記第２の優先度及び上記マイクロセルのトラフィック優先度より高く、上記第２の優先度は上記マイクロセルのトラフィック優先度より低い、ように設置される。
【００６１】
選択的に、上記第１のトリガーモジュール５１はさらに、上記マクロセルのトラフィック負荷が第２の閾値以下である場合に、上記マクロセルのトラフィック優先度が第２の優先度であると、上記マクロセルのトラフィック優先度を第１の優先度に調整し、上記第２の閾値は上記第１の閾値より小さい、ように設置される。
【００６２】
選択的に、上記第１のトリガーモジュール５１はさらに、上記マクロセルのトラフィック負荷が第１の閾値以上である場合に、測定プロセスを起動する前に、セルリソース状態指示メッセージをネットワーク側のコントローラに報告し、上記セルリソース状態指示メッセージには上記マクロセルにおけるユーザーの位置分布情報が含まれ、上記ユーザーの位置分布情報は対応するマイクロセルを活性化するように上記コントローラに指示するために使用される、ように設置される。
【００６３】
選択的に、上記第１のトリガーモジュール５１はさらに、トラフィック負荷を検知する前に、ネットワーク側のコントローラが上記マクロセルのセルトラフィック測定を起動する指示を受信し、上記セルトラフィック測定は上記マクロセルのトラフィック負荷及び上記マクロセルにおけるユーザーの位置分布を検知することを含む、ように設置される。
【００６４】
上記第１のトリガーモジュール５１はさらに、上記マクロセルのトラフィック負荷が第１の閾値以上である場合に、測定プロセスを起動する前に、上記コントローラにセルトラフィック測定報告を報告し、上記セルトラフィック測定報告には上記マクロセルにおけるユーザーの位置分布情報が含まれ、上記セルトラフィック測定報告は対応するマイクロセルを活性化するように上記コントローラに指示するために使用される、ように設置される。
【００６５】
選択的に、上記装置は、マイクロセルのトラフィック負荷を検知し、上記マイクロセルのトラフィック負荷が第３の閾値以下である場合に、測定プロセスを起動し、ユーザー端末から報告される測定結果を受信するように設置される第２のトリガーモジュールと、上記測定結果が上記マクロセルのトラフィック優先度が上記マイクロセルのトラフィック優先度より高いことを示す場合に、上記マイクロセルにおけるユーザー端末の上記マクロセルへの切り替えを開始するように設置される第２の切り替え制御モジュールと、を備える。
【００６６】
上記第２のトリガーモジュールと第２の切り替え制御モジュールとは一つのマイクロセルに対応でき、つまり、各マイクロセルは一つの第２のトリガーモジュールと一つの第２の切り替え制御モジュールとをそれぞれ備え、上記第２のトリガーモジュールと第２の切り替え制御モジュールとは対応するマイクロセルに対して上記操作を実行する。上記第２のトリガーモジュールと第２の切り替え制御モジュールとは対応するマイクロセルのマスタユニットに設置されてもよく、これに限定しない。
【００６７】
上記第２のトリガーモジュールと第２の切り替え制御モジュールとは一組のマイクロセルに対応でき、対応する一組のマイクロセルにトラフィック負荷が第３の閾値以下のマイクロセルが存在する場合に、該当マイクロセルに対してトラフィック優先度の比較を行うとともに、切り替えを開始する。
【００６８】
選択的に、また、上記第２のトリガーモジュールは、上記マイクロセルにアクセスされるユーザー端末がない持続期間の長さが時間閾値に達する又は超える場合に、上記コントローラに通知して上記マイクロセルを非活性化させる、ように設置される。
【００６９】
第４の実施例はヘテロジーニアスネットワークにおける切り替え装置であり、図６に示されるように、マイクロセルのトラフィック負荷を検知し、上記マイクロセルのトラフィック負荷が第３の閾値以下である場合に、測定プロセスを起動し、上記マイクロセルにおけるユーザー端末から報告される測定結果を受信するように設置される第２のトリガーモジュール６１と、上記測定結果がマクロセルのトラフィック優先度が上記マイクロセルのトラフィック優先度より高いことを示す場合に、上記マイクロセルにおけるユーザー端末の上記マクロセルへの切り替えを開始するように設置される第２の切り替え制御モジュール６２と、を備える。
【００７０】
上記第２のトリガーモジュールと第２の切り替え制御モジュールとは一つのマイクロセルに対応でき、つまり、各マイクロセルは一つの第２のトリガーモジュールと一つの第２の切り替え制御モジュールとをそれぞれ備え、上記第２のトリガーモジュールと第２の切り替え制御モジュールとは対応するマイクロセルに対して上記操作を実行する。上記第２のトリガーモジュールと第２の切り替え制御モジュールとは対応するマイクロセルのマスタユニットに設置されてもよく、これに限定しない。
【００７１】
上記第２のトリガーモジュールと第２の切り替え制御モジュールとは一組のマイクロセルに対応でき、対応する一組のマイクロセルにトラフィック負荷が第３の閾値以下のマイクロセルが存在する場合に、該当マイクロセルに対してトラフィック優先度の比較を行うとともに、切り替えを開始する。
【００７２】
選択的に、上記第２のトリガーモジュール６１はさらに、上記マイクロセルにアクセスされるユーザー端末がない持続期間の長さが時間閾値に達する又は超える場合に、アイドルを表すリソース状態指示メッセージをネットワーク側のコントローラに報告し、上記アイドルを表すリソース状態指示メッセージは上記マイクロセルを非活性化するように上記コントローラに指示するために使用される、ように設置される。
【００７３】
選択的に、上記第２のトリガーモジュール６１はさらに、上記マイクロセルのトラフィック負荷を検知する前と上記マイクロセルが活性化された後に、ネットワーク側のコントローラが上記マイクロセルのセルトラフィック測定を起動する指示を受信し、上記セルトラフィック測定は上記マイクロセルのトラフィック負荷を検知することを含んでおり、上記マイクロセルにアクセスされるユーザー端末がない持続期間の長さが時間閾値に達する又は超える場合に、アイドルを表すセルトラフィック測定報告を上記コントローラに報告し、上記アイドルを表すセルトラフィック測定報告は上記マイクロセルを非活性化するように上記コントローラに指示するために使用される、ように設置される。
【００７４】
図７，図８は本発明に係る第１の実施形態のフローチャートであり、第１の実施形態は、マクロセルとマイクロセルとがそれぞれセルリソース状態指示メッセージをコントローラに自発的に送信することにより、コントローラによってマイクロセルを活性化させたり非活性化させたりする方法である。ここで、図７はマクロセルにおけるフローであり、図８はマイクロセルにおけるフローであり、図面におけるマクロセル／マイクロセルとはマクロセル／マイクロセルにおいて制御機能を備えるエンティティである。
【００７５】
以下、主にマクロセルにおけるフローについて説明する。図７に示されるように、実現するステップはＳ１１〜Ｓ１７を含む。
【００７６】
Ｓ１１：コントローラはマクロセルへの活性化を開始し、マクロセルにおけるユーザー端末（ＵＥ）はＲＲＣ（Ｒａｄｉｏ  Ｒｅｓｏｕｒｃｅ  Ｃｏｎｔｒｏｌ、無線リソース制御）確立／再配置のプロセスを完成し、マクロセルへ切り替えしてアクセスする。
【００７７】
Ｓ１２：マクロセルのリアルタイムのトラフィック負荷の検知を行い、マクロセルのトラフィック負荷が第１の閾値Ｔ１（例えば０．９）以上、且つトラフィック優先度がＰ１であると、トラフィック優先度をＰ２に低減し、システム情報更新或いはＲＲＣ変更を開始し、マクロセルにおけるすべてのユーザー端末に通知する。本実施形態では、上記トラフィック優先度は周波数ポイント優先度であるが、実際的な応用の場合にこれに限定しない。
【００７８】
Ｓ１３：次に、マクロセルのセルリソース状態指示メッセージをコントローラに報告し、該当セルリソース状態指示メッセージには上記マクロセルにおけるユーザーの位置分布情報が含まれ、コントローラはマクロセルのセルリソース状態指示を受信してから、含まれるユーザーの位置分布情報などに基づいて、関連するマイクロセルを活性化させる。
【００７９】
Ｓ１４：測定プロセスを起動し、マクロセルにおけるユーザー端末はマクロセルとマイクロセルとの情報を測定し、マクロセルに報告する。
【００８０】
Ｓ１５：ユーザー端末の測定して報告される情報に基づいて、マイクロセルの存在が発見し、且つマクロセルのトラフィック優先度Ｐ２がマイクロセルのトラフィック優先度Ｐ’より低いと、マクロセルにおけるユーザー端末がマイクロセルへの切り替えのプロセスを開始し、まずマイクロセルへの切り替えのプロセスを開始し、データの交換を行い、そしてユーザー端末にＲＲＣ接続再配置（切り替え）の要求を送信して、ユーザー端末とマイクロセルとの間のＲＲＣ接続再配置（切り替え）を完成する。
【００８１】
Ｓ１６：マクロセルのトラフィック負荷を検知し続けて、マクロセルのトラフィック負荷が第２の閾値Ｔ２（例えば０．３）以下であり、且つトラフィック優先度がＰ２であると、トラフィック優先度をＰ１に上昇させ、システム情報更新或いはＲＲＣ変更を開始し、マクロセルにおけるすべてのユーザー端末に通知する。
【００８２】
上記プロセスでは、ステップＳ１６とステップＳ１２〜Ｓ１５とは前後を問わない。次に、マクロセルのトラフィック負荷を検知し続けて、トラフィック負荷の検知結果及び現在のトラフィック優先度の満足する条件に基づいて、上記プロセスにおける対応するステップを実行する。上記プロセスの実行の毎に関するマイクロセルは同じマイクロセルでもよいし、異なるマイクロセルでもよい。マイクロセルは既に活性化されると、また活性化されない。
【００８３】
以下、主にマイクロセルにおけるフローについて説明する。図８に示されるように、実現するステップはＳ１８〜Ｓ１１２を含む。
【００８４】
Ｓ１８：コントローラはマイクロセルへのセル活性化を開始し、マイクロセルにおけるユーザー端末はＲＲＣ確立／再配置のプロセスを完成し，マイクロセルへ切り替えしてアクセスする。
【００８５】
Ｓ１９：マイクロセルのトラフィック負荷を検知し、マイクロセルのトラフィック負荷が第３の閾値Ｔ３（デフォルトは０．１）以下であると、測定プロセスを起動し、マイクロセルにおけるユーザー端末はマクロセルとマイクロセルとの情報を測定し、マイクロセルに報告する。 
【００８６】
Ｓ１１０：ユーザー端末の測定して報告される情報に基づいて、マクロの存在が発見され、且つマクロセルのトラフィック優先度Ｐ１がマイクロセルのトラフィック優先度Ｐ’より高いと、マイクロセルにおけるユーザー端末のマクロセルへの切り替えを開始し、まずマクロセルへの切り替えのプロセスを開始し、データの交換を行い、そしてユーザー端末にＲＲＣ接続再配置（切り替え）の要求を送信し、ユーザー端末とマクロセルとの間のＲＲＣ接続再配置（切り替え）を完成する。
【００８７】
Ｓ１１１：マイクロセルのトラフィック負荷を検知し、トラフィックが長期的にアイドルであると、即ち、アクセスされるユーザー端末がない持続期間の長さが時間閾値に達する又は超えると、リソース状態指示メッセージ（アイドル）をコントローラに報告し、コントローラによってマイクロセルの非活性化を開始する。
【００８８】
次に、マイクロセルのトラフィック負荷を検知し続けて、トラフィック負荷の検知結果及び現在のトラフィック優先度の満足する条件に基づいて、上記プロセスにおける対応するステップを実行する。各マイクロセルに対して上記ステップＳ１８〜Ｓ１１１をそれぞれ実行することができ、ここで、ステップＳ１１１とステップＳ１８〜Ｓ１１０とは前後を問わない。
【００８９】
図９と図１０は本発明に係る第２の実施形態のフローチャートであり、コントローラによってマクロセルとマイクロセルとの負荷測定プロセスを起動し、マクロセルとマイクロセルとの測定報告に応じてマイクロセルを活性化させたり非活性化させたりする。ここで、図９はマクロセルにおけるフローであり、図１０はマイクロセルにおけるフローであり、図面におけるマクロセル／マイクロセルとはマクロセル／マイクロセルにおいて制御機能を備えるエンティティである。
【００９０】
主なプロセスは第１の実施形態を参照すると、ここで、ステップＳ２２はＳ１２と同じで、Ｓ２４〜Ｓ２６はそれぞれＳ１４〜Ｓ１６と同じで、Ｓ１９〜Ｓ１１０はそれぞれＳ２９〜Ｓ２１０と同じである。
【００９１】
第１の実施形態と異なるプロセスとイベントとについて以下のように説明する。
イベントＡの測定：マクロセルのトラフィック負荷が第１の閾値Ｔ１以上であると、セルトラフィック測定報告を送信する。
イベントＢの測定：マイクロセルのトラフィック負荷が第３の閾値Ｔ３以下であると、セルトラフィック測定報告を送信する。
Ｓ２１ではＳ１１に対して、マクロセルが活性化された後にコントローラが上記イベントＡの測定を起動する操作が加えられる。
Ｓ２８ではＳ１８に対して、マイクロセルが活性化された後にコントローラが上記イベントＢの測定を起動する操作が加えられる。
Ｓ２３とＳ１３との差異、及びＳ２１１とＳ１１１との差異は、セルリソース状態指示メッセージをセルトラフィック測定報告に変更している点である。
【００９２】
当業者にとっては、上記実施例の全部または一部のステップはコンピュータプログラムのフローを利用して実現できることが理解できる。上記コンピュータプログラムは、コンピュータの読取可能な記憶媒体に記憶されてもよく、上記コンピュータプログラムは対応するハードウェアプラットフォーム（例えばシステム，機器，装置，デバイスなど）で実行され、実行される際に、方法の実施例のステップの一部または組合せが含まれる。
【００９３】
選択的に、上記実施例の全部または一部のステップは集積回路を用いて実現されてもよい。これらのステップはそれぞれ集積回路モジュールに製造されてもよいし、或いは、その中の複数のモジュール又はステップは単一の集積回路モジュールに製造されることにより実現する。
【００９４】
上記実施例における装置／機能モジュール／機能ユニットは汎用の計算装置を採用して実現できる。単一の計算装置に集中してもよいし、複数の計算装置が構成するネットワークに分布してもよい。
【００９５】
上記実施例における装置／機能モジュール／機能ユニットはソフトウェア機能モジュールの形式で実現されて、独立の製品として販売され又は使用される場合に、コンピュータの読取可能な記憶媒体に記憶されることができる。上記言及のコンピュータ読取可能な記憶媒体は読取専用メモリ，磁気ディスク又は光ディスク等であってもよい。
【産業上の利用可能性】
【００９６】
本発明に係る実施例は、移動通信システム（ＧＳＭ（登録商標）、ＵＭＴＳ、ＴＤ−ＳＣＤＭＡ、ＬＴＥ等）において、マクロセルとマイクロセルとが協力してセルのキャパシティを処理することにより、マクロセルとマイクロセルとのキャパシティ及びカバーを解決する方法を提供する。マクロセルのカバー範囲は広いので、本発明に係る実施例の方法はセルの負荷を動的に均衡させる役割を果たしており、マクロセルの負荷が大き過ぎる場合に、マクロセルの集中的なトラフィック処理をマイクロセルの分布的なトラフィック処理に変更できる一方、マイクロセルの負荷が閾値以下である場合に、マクロセルの集中的な処理に自動的に切り替えることができ、切り替えプロセスでは、ユーザー端末の位置情報やパワーカバーなどは変化しない。本発明に係る実施例の他の方法は、潮汐効果に起因するマイクロセルの長期的なアイドルに対して、マイクロセルを非活性化させることができ、運用コストを大幅に低減させる。
【図１】
2018516005.tif 000003
【図２】
2018516005.tif 000004
【図３】
2018516005.tif 000005
【図４】
2018516005.tif 000006
【図５】
2018516005.tif 000007
【図６】
2018516005.tif 000008
【図７】
2018516005.tif 000009
【図８】
2018516005.tif 000010
【図９】
2018516005.tif 000011
【図１０】
2018516005.tif 000012
【手続補正書】
【提出日】平成29年11月13日(2017.11.13)
【手続補正１】
【補正対象書類名】明細書
【補正対象項目名】００７５
【補正方法】変更
【補正の内容】
【００７５】
以下、主にマクロセルにおけるフローについて説明する。図７に示されるように、実現するステップはＳ１１〜Ｓ１６を含む。
【手続補正２】
【補正対象書類名】明細書
【補正対象項目名】００８３
【補正方法】変更
【補正の内容】
【００８３】
以下、主にマイクロセルにおけるフローについて説明する。図８に示されるように、実現するステップはＳ１８〜Ｓ１１１を含む。
【国際調査報告】
2018516005.tif 000013
2018516005.tif 000014
2018516005.tif 000015
2018516005.tif 000016